(57)【要約】【課題】通常のキー操作よりもユーザにとって簡易な情報入力の手法を利用して相手方ユーザとの間で互いに意思疎通がスムーズに図ることができる通信装置を提供する。【解決手段】挙動情報生成部２７は、指示情報生成部２１から出力された指示情報と、画像情報生成部２３から出力された画像情報と、音声情報生成部２５から出力された音声情報とを、決められた手順に基づいて混ぜ合わせることにより、例えばユーザＡに係る挙動情報を生成すると共に、生成した挙動情報を挙動情報送信部２９に出力する。挙動情報送信部２９は、挙動情報生成部２７から出力された挙動情報を、無線通信装置３の挙動情報受信部５７に無線送信する。【選択図】        図１
2004221891.tif 000002
【特許請求の範囲】
【請求項１】
情報を送信する送信系統と、
情報を受信する受信系統とを備え、
前記送信系統が、
入力した情報を受付けて、その入力情報がユーザの意思内容を表現し得るに足りるか否かを判別する判別手段と、
前記判別手段が、前記入力情報を、前記ユーザの意思内容を表現するのに不足していると判別したとき、前記入力情報を、ユーザの意思内容を表現し得る情報になるよう補完するための補完情報を生成する生成手段と、
前記入力情報と前記補完情報とを纏めることによってユーザの意思内容を表現し得る情報に変換すると共に、該変換された情報に対して付随情報を付加する編集手段と、
前記編集手段によって編集された情報を、前記ユーザから離間した位置にいる別のユーザへ送信する送信手段とを有し、
前記受信系統が、
前記別のユーザから送信される前記別のユーザの意思内容を表現し得る情報を含んだ情報を受信して、その意思内容を表現し得る情報を解析する解析手段と、前記解析手段によって解析された前記別のユーザの意思内容を、前記ユーザが認識可能な態様で表現すべく再生する再生手段と、
前記再生手段によって再生された前記別のユーザの意思内容を、前記ユーザが認識可能な態様で報知する報知手段と、を有する通信装置。
【請求項２】
請求項１記載の通信装置において、
前記送信系統が、
複数種類のユーザの意思内容を表現した各情報に夫々対応した標準的な入力情報を記憶する記憶手段を更に有し、
前記判別手段が、ユーザが入力した情報が、前記いずれかの標準的な入力情報から逸脱しているとき、前記入力情報が前記ユーザの意思内容を表現するのに不足していると判別する通信装置。
【請求項３】
請求項１記載の通信装置において、
前記送信系統が、
複数種類のユーザの意思内容を表現した各情報に夫々対応した標準的な入力情報を記憶する記憶手段と、
可搬型記録媒体に記録されているユーザの意思内容に係わる情報を読み取る読取り手段とを更に有し、
前記判別手段が、前記読取り手段を通じて読取った入力情報が、前記いずれかの標準的な入力情報から逸脱しているとき、前記入力情報が前記ユーザの意思内容を表現するのに不足していると判別する通信装置。
【請求項４】
請求項１記載の通信装置において、
前記情報を入力するための操作部が、
ユーザの意思内容を表現し得る情報を入力するための複数の操作キーであって、ユーザからの想定し得る複数の要求項目の各々に割り当てられている操作キーと、
前記各要求項目毎に設定されるユーザの意思内容を表現した情報を記憶する記憶手段と、
前記いずれかの操作キーが操作されたとき、該操作された操作キーの要求項目に対応する前記記憶手段に記憶されているユーザの意思内容を表現した情報を、ユーザの意思内容であると認識する認識手段と、
を有する通信装置。
【請求項５】
請求項１記載の通信装置において、
前記生成手段が、前記ユーザが前記通信装置へ情報を入力するに際して取った挙動の画像を有する撮影画像に基づいて画像情報を生成する画像情報生成手段を含む通信装置。
【請求項６】
請求項１記載の通信装置において、
前記生成手段が、前記ユーザが前記通信装置へ情報を入力するに際して発した音声を有する録音された音響に基づいて音声情報を生成する音声情報生成手段を含む通信装置。
【請求項７】
請求項１記載の通信装置において、
前記ユーザが前記通信装置へ情報を入力するときの時刻を示した時刻情報を生成する時刻情報生成手段を更に有し、前記編集手段によって前記変換された情報に付加される付随情報が、前記時刻情報である通信装置。
【請求項８】
請求項１記載の通信装置において、
前記ユーザが前記通信装置へ情報を入力するときの前記通信装置の位置を示した位置情報を生成する位置情報生成手段を更に有し、前記編集手段によって前記変換された情報に付加される付随情報が、前記位置情報である通信装置。
【請求項９】
請求項１記載の通信装置において、
前記編集手段によって変換されたユーザの意思内容を表現し得る情報が、前記入力情報を表すコンピュータ読み取り可能なコード情報を少なくとも含み、該情報と前記編集手段によって該情報に付加される前記付随情報とに基づいて前記ユーザからの指示内容を示す情報が前記編集手段において生成される通信装置。
【請求項１０】
請求項１記載の通信装置において、
前記報知手段が、前記別のユーザの意思内容を表す情報を可視画像情報として表示する表示手段及び／又は前記別のユーザの意思内容を表す情報を音響或いは振動に変換する音響／振動変換手段を含む通信装置。
【発明の詳細な説明】
【０００１】
【発明の属する技術分野】
本発明は、離隔した位置にいるユーザ同士の間で互いの意思内容を比較的簡易な操作によって正確に伝達し合うことが可能な通信装置に関する。以下では、通信装置として携帯電話機端末を例にとって説明する。
【０００２】
【従来の技術】
近年、携帯電話機端末の多機能化の進展によって、例えばインターネット等の通信ネットワークを介した情報通信機能や、電子メール（Ｅメール）送／受信機能などの、パーソナルコンピュータ（パソコン）等と同等の情報処理機能を備えた携帯電話機端末が普及している。このような多機能化した携帯電話機端末を使いこなすであろう使用者（ユーザの）群像に注目したとき、携帯電話機端末が備える各種機能は、知的・身体的に問題のない人々を対象としたものが殆どであるため、各種障害を持つ人々（所謂身体障害者）にとっては、これら携帯電話機端末に象徴されるＩＴ（情報技術）化の恩恵を十分に享受できているとは言い難い。
【０００３】
そこで、従来、携帯電話機端末を使用したナビゲーションシステムにおいて、該携帯電話機端末を携行したユーザが特定の位置に到着すると音声が流れるようになっているものが提案されている（例えば、特許文献１参照）。しかし、該提案に係るシステムは、ユーザが聴覚に支障のある障害者であったり、或いは音声が表す情報の理解力に乏しい知的障害者には不向きである。また、聴覚に支障のある障害者を対象とした提案に、携帯電話機端末のＥメール機能をコミュニケーション手段として利用するものもあるが（例えば、非特許文献１参照）、文字の使用が必須要件であるため、ユーザの中には使いづらいという者もある。
【特許文献１】
特開２００２−１９５８５０号公報
【非特許文献１】
朝日新聞ニュース速報「携帯電話メール、聴覚や言語の障害者の暮らしの幅広げる」朝日新聞、１９９９年１２月  ９日
【発明が解決しようとする課題】
上述した内容から明らかなように、従来においては、視覚や聴覚に支障があるが故に通常の会話やＥメールなどにより相手との間のコミュニケーションを取るのが困難な身体障害者や、或いは知的障害を有するが故に特殊なコミュニケーション手段を用いる必要がある身体障害者等にとっては、必要な時、必要な場所で携帯電話機端末を利用して相手方との間で情報の授受（意思疎通）をスムーズに行うのは困難である。
【０００４】
上記のような障害を持つユーザが、携帯電話機端末を利用して相手方との間で情報の授受をスムーズに行うことができるようにするには、通常のキー操作よりもユーザにとって簡易な（負荷の小さい）情報入力の手法（例えば画像情報、写真情報、文字情報、記号等を組み合わせることによって生成したイメージを利用してユーザの意思内容を表すなどの手法）を用いてユーザの意思内容を相手方に伝達できるようにする方法が必要である。
【０００５】
従って本発明の目的は、通常のキー操作よりもユーザにとって簡易な（負荷の小さい）情報入力の手法を利用して相手方ユーザとの間で互いに意思疎通がスムーズに図ることができる通信装置を提供することにある。
【０００６】
【課題を解決するための手段】
本発明に従う通信装置は、情報を送信する送信系統と、情報を受信する受信系統とを備え、上記送信系統が、入力した情報を受付けて、その入力情報がユーザの意思内容を表現し得るに足りるか否かを判別する判別手段と、上記判別手段が、上記入力情報を、上記ユーザの意思内容を表現するのに不足していると判別したとき、上記入力情報を、ユーザの意思内容を表現し得る情報になるよう補完するための補完情報を生成する生成手段と、上記入力情報と上記補完情報とを纏めることによってユーザの意思内容を表現し得る情報に変換すると共に、その変換された情報に対して付随情報を付加する編集手段と、上記編集手段によって編集された情報を、上記ユーザから離間した位置にいる別のユーザへ送信する送信手段とを有し、上記受信系統が、上記別のユーザから送信される上記別のユーザの意思内容を表現し得る情報を含んだ情報を受信して、その意思内容を表現し得る情報を解析する解析手段と、上記解析手段によって解析された上記別のユーザの意思内容を、上記ユーザが認識可能な態様で表現すべく再生する再生手段と、上記再生手段によって再生された上記別のユーザの意思内容を、上記ユーザが認識可能な態様で報知する報知手段と、を有する。
【０００７】
本発明に係る好適な実施形態では、上記送信系統が、複数種類のユーザの意思内容を表現した各情報に夫々対応した標準的な入力情報を記憶する記憶手段を更に有し、上記判別手段が、ユーザが入力した情報が、上記いずれかの標準的な入力情報から逸脱しているとき、上記入力情報が上記ユーザの意思内容を表現するのに不足していると判別する。
【０００８】
上記とは別の実施形態では、上記送信系統が、複数種類のユーザの意思内容を表現した各情報に夫々対応した標準的な入力情報を記憶する記憶手段と、可搬型記録媒体に記録されているユーザの意思内容に係わる情報を読み取る読取り手段とを更に有し、上記判別手段が、上記読取り手段を通じて読取った入力情報が、上記いずれかの標準的な入力情報から逸脱しているとき、上記入力情報が上記ユーザの意思内容を表現するのに不足していると判別する。
【０００９】
また、上記とは別の実施形態では、上記情報を入力するための操作部が、ユーザの意思内容を表現し得る情報を入力するための複数の操作キーであって、ユーザからの想定し得る複数の要求項目の各々に割り当てられている操作キーと、上記各要求項目毎に設定されるユーザの意思内容を表現した情報を記憶する記憶手段と、上記いずれかの操作キーが操作されたとき、その操作された操作キーの要求項目に対応する上記記憶手段に記憶されているユーザの意思内容を表現した情報を、ユーザの意思内容であると認識する認識手段と、
を有する。
【００１０】
また、上記とは別の実施形態では、上記生成手段が、上記ユーザが上記通信装置へ情報を入力するに際して取った挙動の画像を有する撮影画像に基づいて画像情報を生成する画像情報生成手段を含む。
【００１１】
また、上記とは別の実施形態では、上記生成手段が、上記ユーザが上記通信装置へ情報を入力するに際して発した音声を有する録音された音響に基づいて音声情報を生成する音声情報生成手段を含む。
【００１２】
また、上記とは別の実施形態では、上記ユーザが上記通信装置へ情報を入力するときの時刻を示した時刻情報を生成する時刻情報生成手段を更に有し、上記編集手段によって上記変換された情報に付加される付随情報が、上記時刻情報である。
【００１３】
また、上記とは別の実施形態では、上記ユーザが上記通信装置へ情報を入力するときの上記通信装置の位置を示した位置情報を生成する位置情報生成手段を更に有し、上記編集手段によって上記変換された情報に付加される付随情報が、上記位置情報である。
【００１４】
また、上記とは別の実施形態では、上記編集手段によって変換されたユーザの意思内容を表現し得る情報が、上記入力情報を表すコンピュータ読み取り可能なコード情報を少なくとも含み、その情報と上記編集手段によってその情報に付加される上記付随情報とに基づいて上記ユーザからの指示内容を示す情報が前記編集手段において生成される。
【００１５】
更に、上記とは別の実施形態では、上記報知手段が、上記別のユーザの意思内容を表す情報を可視画像情報として表示する表示手段及び／又は上記別のユーザの意思内容を表す情報を音響或いは振動に変換する音響／振動変換手段を含む。
【００１６】
【発明の実施の形態】
以下、本発明の実施の形態を、図面により詳細に説明する。
【００１７】
図１は、本発明の一実施形態に係る通信装置を備える通信システムの一例である無線通信システムの全体構成を示すブロック図である。
【００１８】
上記無線通信システムは、比較的簡易な操作（例えば身体障害者のようなハンディキャップのある者がユーザであっても充分に行える程度に簡易な操作）を行うだけで、ユーザの意思内容を、離隔した位置にいる別のユーザに対して正確に伝達することができるようにしたもので、内部構成が同一の、少なくとも２台以上の無線通信装置を含んだ構成となっている。なお、図１では、図示と説明の都合上、上記無線通信装置を符号１及び３で示した２台のみを記載すると共に、無線通信装置１のみについて、内部構成を詳細に記載し、無線通信装置３については、内部構成の一部（挙動情報送信部５１、挙動情報受信部５３）のみを記載するに留めた。
【００１９】
無線通信装置１は、図１に示すように、該無線通信装置１を所有するユーザＡの意思内容を、離隔した位置にいる別のユーザ（図示しない）に伝達するための送信系統５を構成する機能ブロック群と、離隔した位置にいる上記別のユーザ（図示しない）からの意思内容をユーザＡに伝達するための受信系統７を構成する機能ブロック群とを備える。
【００２０】
送信系統５を構成する機能ブロック群は、入力デバイス９と、位置情報生成部１１と、時刻情報生成部１３と、撮像デバイス１５と、録音デバイス１７と、コード情報生成部１９と、指示情報生成部２１と、画像情報生成部２３と、音声情報生成部２５と、挙動情報生成部２７と、挙動情報送信部２９とから構成される。一方、受信系統７を構成する機能ブロック群は、挙動情報受信部３１と、挙動情報解析部３３と、記憶部３５と、現在時刻取得部３７と、機会判断部３９と、現在位置取得部４１と、存在判断部４３と、挙動情報再生部４５と、振動デバイス４７と、表示デバイス４９とから構成される。
【００２１】
なお、無線通信装置３については、既述のように、送信系統５１を構成する機能ブロックとして挙動情報送信部５５のみを、受信系統５３を構成する機能ブロックとして挙動情報受信部５７のみを、夫々記載した。
【００２２】
送信系統５において、入力デバイス９は、例えばキータイプやマウスなどのマン・マシンインタフェースとして機能する情報入力機器（図示しない）と、複数種類のパターン化されたユーザの意思内容を夫々表す各情報別に設定された標準的な入力情報パターンを記憶する記憶部（図示しない）と、ユーザが上記入力機器（図示しない）を操作して入力した情報パターンが、上記いずれかの標準的な入力情報パターンから逸脱しているか否かをチェックして逸脱していると認識したとき、上記入力情報がユーザの意思内容を表現するのに不足している情報であると判別する判別部（図示しない）とを備える。
【００２３】
ここで、上述した複数種類のパターン化されたユーザの意思内容としては、ユーザが外出中の場合を例にとれば、現在地がどこかを知りたい、目的地はどこかを知りたい、現在地から見て目的地がどの方向にあるのかを知りたい、現在地から目的地までの道順はどうなっているかを知りたい、現在地から目的地までどれくらい時間が掛かるかを知りたい、利用可能な交通機関が何かを知りたい、後どれくらいの時間で目的地に到着するかを知りたい、目的地に到着したか否かを知りたい、目的地において何をするのかを知りたい等が挙げられる。つまり、これらの諸情報を取得せんがためにユーザは上記情報入力機器（図示しない）を操作することになる。
【００２４】
判別部（図示しない）は、情報入力機器（図示しない）からの入力情報パターンと、記憶部（図示しない）に記憶されている複数の標準的な入力情報パターンとを比較して、上記入力情報パターンが、いずれの標準的な入力情報パターンとも一致していなければ、該入力情報パターンに最も類似していると判断される標準的な入力情報パターンに対応するユーザの意思内容を表す情報（例えば、現在地から目的地までどれくらい時間が掛かるかを知りたい）を（ユーザＡからの指示内容・操作内容として）、位置情報生成部１１、時刻情報生成部１３及びコード情報生成部１５に夫々出力する。
【００２５】
位置情報生成部１１は、入力デバイス９から出力された指示内容に基づいて、無線通信装置１（つまり、ユーザＡ）の現在位置を特定するための位置情報を生成すると共に、生成した無線通信装置１の現在位置に係る位置情報を、指示情報生成部２１に出力する。時刻情報生成部１３は、入力デバイス９から出力された指示内容（例えば無線通信装置１に内蔵されている図示しないタイマからの出力信号）に基づいて、現在の時刻を特定するための時刻情報を生成すると共に、生成した時刻情報を指示情報生成部２１に出力する。
【００２６】
撮像デバイス１５は、撮影により画像を取得する仕組みを備えたもので、撮影により取得した、例えばユーザＡ及び／又はその周辺の画像を画像情報生成部２３に出力する。録音デバイス１７は、録音により例えばユーザＡの発した音声、或いはユーザＡの動作等に起因して生じた振動を取得すると共に、取得した音声、或いは振動を音声情報生成部２５に出力する。コード情報生成部１９は、入力デバイス９から出力された指示内容・操作内容を所定の命令語に変換することによりコード情報を生成すると共に、生成したコード情報を指示情報生成部２１に出力する。指示情報生成部２１は、コード情報生成部１９から出力されたコード情報と、位置情報生成部１１から出力された上記位置情報と、時刻情報生成部１３から出力された時刻情報とから指示情報を生成すると共に、生成した指示情報を挙動情報生成部２７に出力する。画像情報生成部２３は、撮像デバイス１５から出力されたユーザＡ及び／又はその周辺の画像に基づいて画像情報を生成すると共に、生成した画像情報を挙動情報生成部２７に出力する。
【００２７】
音声情報生成部２５は、録音デバイス１７から出力された音声或いは振動に基づいて音声情報を生成すると共に、生成した音声情報を挙動情報生成部２７に出力する。挙動情報生成部２７は、指示情報生成部２１から出力された指示情報と、画像情報生成部２３から出力された画像情報と、音声情報生成部２５から出力された音声情報とを、決められた手順に基づいて混ぜ合わせることにより、例えばユーザＡに係る挙動情報を生成すると共に、生成した挙動情報を挙動情報送信部２９に出力する。挙動情報送信部２９は、挙動情報生成部２７から出力された挙動情報を、無線通信装置３の挙動情報受信部５７に無線送信する。
【００２８】
受信系統７において、挙動情報受信部３１は、無線通信装置３の挙動情報送信部５５から送信された挙動情報を受信すると共に、受信した挙動情報を、挙動情報解析部３３に出力する。挙動情報解析部３３は、挙動情報受信部３１から出力された挙動情報を解析することによって指示情報（無線通信装置３を所有する別のユーザ（図示しない）からの指示情報）を取得すると共に、取得した指示情報を、記憶部３５の指示情報バッファ６１（図３に記載した）上に展開する。記憶部３５は、プログラム実行時にプログラムのワークエリアとして使用されるもので、上述した指示情報バッファ６１と、図２に記載したコード情報バッファ５９と、図４に記載した挙動情報バッファ６３と、図５に記載した挙動解析バッファ６５とを夫々複数備えた構成となっている。指示情報バッファ６１上に展開された上記指示情報は、記憶部３５から機会判断部３９、及び存在判断部４３に夫々出力される。なお、指示情報バッファ６１、コード情報バッファ５９、挙動情報バッファ６３、及び挙動解析バッファ６５については、後に詳述する。
【００２９】
現在時刻取得部３７は、（例えば無線通信装置１に内蔵されている上述した図示しないタイマからの出力信号より）現在時刻情報を取得して、その取得した現在時刻情報を機会判断部３９に出力する。機会判断部３９は、（記憶部３５の）挙動解析バッファ６５上に展開された指示情報と、現在時刻取得部３７から出力される現在時刻情報とを夫々読み込んで、指示情報に含まれる時刻情報と現在時刻情報とを比較し、指示情報に含まれる時刻情報が示す時期が到来したか否かを判別して、その判別結果を、挙動情報再生部４５に出力する。
【００３０】
現在位置取得部４１は、（例えば無線通信装置１に内蔵されているＧＰＳからの出力信号より）現在位置情報を取得して、その取得した現在位置情報を存在判断部４３に出力する。存在判断部４３は、（記憶部３５の）挙動解析バッファ６５上に展開された指示情報と、現在位置取得部４１から出力される現在位置情報とを夫々読み込んで、指示情報に含まれる位置情報の示す地点にユーザＡが存在しているか否かを判別して、その判別結果を、挙動情報再生部４５に出力する。
【００３１】
表示デバイス４７は、挙動情報再生部４５の制御下で駆動して、挙動情報再生部４５から出力される上記指示情報の内容を画像情報として表示する。振動デバイス４９も、表示デバイス４７におけると同様に、挙動情報再生部４５の制御下で駆動して、挙動情報再生部４５から出力される上記指示情報の内容を音声情報として再生する。
【００３２】
挙動情報再生部４５は、機会判断部３９から出力される判別結果、及び存在判断部４３から出力される判別結果を夫々読み込む。そして、存在判断部４３の判別結果の如何に関わらず、機会判断部３９の判別結果が、上記時刻情報に対応する時期の到来を示している場合には、挙動情報再生部４５は、上記時刻情報に対応する指示情報の内容を画像情報、或いは音声情報として再生すべく、表示デバイス４７又は振動デバイス４９を起動する。
一方、機会判断部３９の判別結果の如何に関わらず、存在判断部４３の判別結果が、上記位置情報に対応する地点にユーザＡが存在していることを示している場合にも、挙動情報再生部４５は、上記時刻情報に対応する指示情報の内容を画像情報、或いは音声情報として再生すべく、表示デバイス４７又は振動デバイス４９を起動する。
【００３３】
図２は、図１に記載の記憶部３５が備えるコード解析バッファ５９を示す説明図であり、図３は、図１に記載の記憶部３５が備える指示情報バッファ６１を示す説明図である。また、図４は、図１に記載の記憶部３５が備える挙動情報バッファ６３を示す説明図であり、図５は、図１に記載の記憶部３５が備える挙動解析バッファ６５を示す説明図である。
【００３４】
まず、コード情報バッファ５９について説明する。
【００３５】
コード情報バッファ５９には、複数のコード情報が記憶される。図２では、図示と説明の都合上、コード情報バッファ５９には、符号６７で示すコード情報、及び符号６９で示すコード情報の２つのコード情報のみが記憶されているものとする。コード情報６７は、コードＩＤ７１と、インストラクション７３とから構成されている。換言すれば、コード情報６７は、コードＩＤ７１とインストラクション７３とを一対一で対にしたものである。コードＩＤ７１は、後続のインストラクション７３の識別を行うための情報であり、記憶部３５内でユニークな値を持つ。
【００３６】
インストラクション７３は、複数の命令語７５ａ、７５ｂ、・・・、７５ｎと、複数の
対象語７７ａ、７７ｂ、・・・とから構成されている。命令語（７５ａ、７５ｂ、・・・、７５ｎ）は、プログラムの実行単位としては最小のものであり、単体或いは複数のデータで構成されていて、例えば機械語のオペランドや、ＪＡＶＡ（登録商標）のバイトコード等のようなＣＰＵによって実行することができる情報をいう。また、対象語（７７ａ、７７ｂ、・・・）は、命令語（７５ａ、７５ｂ、・・・、７５ｎ）が操作する対象物を特定するための情報である。
【００３７】
なお、コード情報６９については、コード情報６７と同一であるので、説明を省略する。
【００３８】
次に、指示情報バッファ６１について説明する。
【００３９】
指示情報バッファ６１には、複数の指示情報が記憶される。図３では、図示と説明の都合上、指示情報バッファ６１には、符号７７で示す指示情報、符号７９で示す指示情報、及び符号８１で示す指示情報の３つの指示情報のみが記憶されているものとする。指示情報７７は、指示情報ＩＤ８３、実行位置情報８５、実行時刻情報８７、及びコード情報８９とから構成されている。換言すれば、図３に示すように、指示情報ＩＤ８３、実行位置情報８５、実行時刻情報８７、及びコード情報８９を、各１つづつ列方向に纏めたものが、１つの指示情報（７７、７９、８１）として扱われる。
【００４０】
指示情報ＩＤ８３は、或る一つの指示情報を他の指示情報と区別するために設定された識別子であり、記憶部３５内でユニークな値を持つ。実行位置情報８５は、図１で示した（無線通信装置１の）位置情報生成部１１によって作成される情報であり、地上における無線通信装置１（つまり、ユーザＡ）の現在位置を確定するための情報である。実行位置情報８５の例としては、基準となる地点を元に算出した地上における或る一点である、無線通信装置１（つまり、ユーザＡ）の現在位置を表す相対値情報や、住所など絶対名称で表す情報等が挙げられる。
要するに、本実施形態における実行位置情報８５とは、地上における或る１地点を特定するための、該１地点にしか存在し得ないユニークな情報のことである。
【００４１】
実行時刻情報８７は、図１で示した（無線通信装置１の）時刻情報生成部１３によって作成される情報であり、指示情報７７の指示内容を実行する時刻を特定するための情報である。実行時刻情報８７の例としては、グリニッジ標準時や日本標準時等を表す数の羅列や、或る時点からの相対的な経過時間等が挙げられる。コード情報８９とは、図１で示した（無線通信装置１の）コード情報生成部１９によって作成され、図２で示したコード情報バッファ５９に記憶されているコード情報（６７、６９）のことであり、従って図２で説明したのと同一の要素から構成されている。コード情報８９は、例えばＣＰＵにより直接解釈されて実行されるプログラムであったり、或いは、インタラプタソフトウェアによってＣＰＵが実行可能な形式に変換できるプログラムであっても良い。いずれにしても、コード情報８９は、無線通信装置１に付属するデバイスを駆動するプログラムであれば良い。
【００４２】
なお、指示情報７９、８１については、指示情報７７と同一であるので説明を省略するが、指示情報７９において、符号８４は、指示情報ＩＤを、符号８６は、実行位置情報を、符号８８は、実行時刻情報を、更に、符号９０は、コード情報を、夫々示す。
【００４３】
次に、挙動情報バッファ６３について説明する。
【００４４】
挙動情報バッファ６３は、複数の挙動情報から構成される。図４では、図示と説明の都合上、挙動情報バッファ６３には、符号９１で示す挙動情報、及び符号９３で示す挙動情報の２つの挙動情報のみが記憶されているものとする。挙動情報９１は、上述した指示情報（７７、７９、８１）の１つである指示情報７７を含む画像データ９５と、分離用プログラム９７とから構成される。一方、挙動情報９３は、上述した指示情報（７７、７９、８１）の１つである指示情報７９を含む音声データ９９と、分離用プログラム１０１とから構成される。
【００４５】
画像データ９５は、図１で示した（無線通信装置１）の撮像デバイス１５により取得した画像情報を、図１で示した（無線通信装置１）の画像情報生成部２３を使用してデータ化した写真情報や動画情報などの情報である。音声データ９９は、図１で示した（無線通信装置１の）録音デバイス１７によって取得した音或いは振動を、図１で示した（無線通信装置１の）音声情報生成部２５を使用してデータ化したものであり、例えばＰＣＭなどの音声データや、図１で示した無線通信装置１のバイブレーション情報等が該当する。
【００４６】
指示情報７７（図３で示した指示情報７７と同一）は、所定の手順に基づいて画像データ９５に混入された情報である。指示情報７９（図３で示した指示情報７９と同一）は、所定の手順に基づいて音声データ９９に混入された情報である。ここで、所定の手順とは、例えば画像データ９５の直前・直後に指示情報７７を、音声データ９９の直前・直後に指示情報７９を、夫々添付する手順、或いは画像データ９５の冗長部分に指示情報７７を、音声データ９９の冗長部分に指示情報を、夫々埋め込んだ暗号化手順である。要するに、画像データ９５から指示情報７７を、音声データ９９から指示情報７９を、夫々可逆的に分離することができる手順であれば、如何なる手順であっても所定の手順に含まれる。
【００４７】
分離用プログラム９７とは、画像デ−タ９５から指示情報７７を可逆的に分離する手順を、ＣＰＵで実行できる形式のプログラムであり、また、分離用プログラム１０１も、分離用プログラムと同様の、音声データから指示情報７９を可逆的に分離する手順を、ＣＰＵで実行できる形式のプログラムである。
【００４８】
次に、挙動解析バッファ６５について説明する。
【００４９】
挙動解析バッファ６５は、複数の起動情報と、複数の保存情報とから構成される。図５では、図示と説明の都合上、挙動解析バッファ６５には、符号１０３、１０５、１０７で示す３つの起動情報、及び符号１０９、１１１、１１３、１１５で示す４つの保存情報のみが記憶されているものとする。起動情報１０３は、契機情報１１７と、再生ＩＤ１１９とが、起動情報１０５は、契機情報１２５と、再生ＩＤ１２７とが、起動情報１０７は、契機情報１２６と、再生ＩＤ１２８とが、夫々列方向に纏められて構成されている。一方、保存情報１０９は、保存ＩＤ１２１と、再生データ１２３とが、保存情報１１１は、保存ＩＤ１２９と、再生データ１３１とが、保存情報１１３は、保存ＩＤ１３３と、再生データ１３５が、保存情報１１５は、保存ＩＤ１３７と、再生データ１３９とが、夫々列方向に纏められて構成されている。
【００５０】
（起動情報１０３に対応する）契機情報１１７は、例えば図３に示した指示情報７７における実行時刻情報８７と同一のものである。契機情報１１７（つまり、実行時刻情報８７）は、図１で示した（無線通信装置１の）機会判断部３９において図１で示した（無線通信装置１の）現在時刻取得部３７からの現在時刻情報と比較されることで、契機を知ることが可能になる情報である。また、（起動情報１０５に対応する）契機情報１２５は、例えば図３に示した指示情報７７における実行位置情報８５と同一のものである。契機情報１２５（つまり、実行位置情報８５）も、契機情報１１７におけると同様に、図１で示した（無線通信装置１の）存在判断部４３において図１で示した（無線通信装置１の）現在位置取得部４１からの現在位置情報と比較されることで、契機を知ることが可能になる情報である。再生ＩＤ１１９は、保存ＩＤ１２１を参照するための識別子である。１個の再生ＩＤ（１１９）で１個の保存情報（１０９）が特定可能になっている。
【００５１】
保存ＩＤ１２１は、例えば図２で示したコード情報６７におけるコードＩＤ７１や、図４で示した画像データ９５を識別するための画像ＩＤや、或いは図４で示した音声データ９９を識別するための音声ＩＤが含まれ、再生データ１２３がどのような種類の情報であるかを識別することができる。再生データ１２３は、例えば図２で示したコード情報６７におけるインストラクション７３、図４で示した画像データ９５、或いは図４で示した音声データ９９と同一であり、保存ＩＤ１２１と対の状態で管理されるデータである。
【００５２】
次に、上述した構成の無線通信システムにおける各部の処理動作を、図６乃至図１１に記載したフローチャートを参照して説明する。
【００５３】
図６は、無線通信装置１が入力した情報を挙動情報として他の無線通信装置３に送信するに際しての処理動作を示すフローチャートである。即ち、ユーザＡが指示内容、位置、及び時刻に係る情報を入力情報として無線通信装置１に入力することによって、無線通信装置１から他の無線通信装置３に対して（図４で示した）挙動情報（９１、９３）が送信される。
【００５４】
図６において、まず、無線通信装置１が起動されると、無線通信装置１は、ユーザＡから提供される種々の情報を入力情報として読み込む（ステップＳ１４１）。この入力情報には、ユーザＡによる入力デバイス９（図１で示した）の操作によって、入力デバイス９から入力される指示内容（操作内容）に係る情報や、例えばＣＤ―ＲＯＭ、或いはフロッピディスク等の可搬型記録媒体から読み込む一つのファイルとして纏められたデータファイルや、（図１で示した）撮像デバイス１５から入力される画像情報や、録音デバイス１７から入力される音声情報等がある。無線通信装置１は、上記各入力情報を記憶部３５に保存する（ステップＳ１４２）。
【００５５】
次に、記憶部３５に保存している入力情報を読み出して、入力情報が入力デバイス９、撮像デバイス１５、録音デバイス１７のいずれ（のデバイス）から入力されたものであるかをチェックする（ステップＳ１４３）。このチェックの結果、入力情報が録音デバイス１７から入力された音声情報であると判断したときには、その音声情報を、図５で示した挙動解析バッファ６５に再生データ１２３として保存すると共に、再生データ１２３として保存したものが、音声情報であることを示す音声ＩＤを、保存ＩＤ１２１としてユニークな値で登録する（ステップＳ１４４）。
【００５６】
また、ステップＳ１４３でのチェックの結果、入力情報が撮像デバイス１５から入力された画像情報であると判断したときには、その画像情報を、挙動解析バッファ６５に再生データ１３１として保存すると共に、再生データ１３１として保存したものが、画像情報であることを示す画像ＩＤを、保存ＩＤ１２９としてユニークな値で登録する（ステップＳ１４５）。
【００５７】
更に、ステップＳ１４３でのチェックの結果、入力情報がユ−ザＡから入力デバイス９を通じて与えられた情報であると判断したときには、その入力情報の種別（位置情報か、時刻情報か、それともユーザＡからの指示内容に係る情報か）を判別する（ステップＳ１４６）。ステップＳ１４６での判別の結果、入力情報が時刻情報であると判断したときには、その時刻情報を、図３で示した指示情報バッファ６１に実行時刻情報８７として登録する（ステップＳ１４７）。また、ステップＳ１４６での判別の結果、入力情報が位置情報であると判断したときには、その位置情報を、指示情報バッファ６１に実行位置情報８５として登録する（ステップＳ１４８）。また、ステップＳ１４６での判別の結果、入力情報がユーザＡからの指示内容に係る情報であると判断したときには、後述するような、指示内容に係る情報をコード情報に変換する処理動作（図７で示すフローチャート）を実行する（ステップＳ１４９）。
【００５８】
次に、指示情報バッファ６１に登録した実行時刻情報８７、及び実行位置情報８５と、指示内容に係る情報から変換したコード情報とを夫々識別するための指示情報ＩＤ（例えば、図３において符号８３で示した）として、ユニークな値を採用し、指示情報バッファ６１に登録することにより指示情報（７７、７９、８１）を生成する処理動作（図７で示すフローチャート）を実行する（ステップＳ１５０）。次に、挙動解析バッファ６５に保存されている再生データ（１２３、１３１）と、指示情報バッファ６１に登録されている指示情報（７７、７９、８１）とを利用して挙動情報（９１、９３）を作成する処理動作（図８で示すフローチャート）を実行する（ステップＳ１５１）。なお、ステップＳ１５１での処理動作は、ステップＳ１４６での判別の結果、入力情報がユーザＡからの挙動情報の作成の指示に係る情報であると判断したときには、直ちに実行される。
【００５９】
次に、ステップＳ１５１で作成した挙動情報（９１、９３）を、他の無線通信装置３に送信した後（ステップＳ１５２）、ステップＳ１４１に復帰して、再度ユーザＡからの指示入力を待つ。
【００６０】
図７は、無線通信装置１において、指示内容に係る情報をコード情報に変換するに際しての処理動作と、指示情報を生成するに際しての処理動作とを示すフローチャートである。
【００６１】
図７において、まず、図６で示したステップＳ１４２で記憶部３５に保存した各種入力情報を検索することによって、入力情報を一つづつ取得する（ステップＳ１６１）。次に、取得した入力情報の内容が、指示情報（７７、７９、８１）を生成すべき旨の指示（命令）であるのか否かをチェックする（ステップＳ１６２）。
【００６２】
このチェックの結果がＮｏであれば、入力情報の内容がコード情報に変換できるものである場合に、（無線通信装置１の）記憶部３５に予め保存されている変換情報を参照して、その変換情報の中から入力情報の内容に対応する（指示）命令語を検索する（ステップＳ１６３）。そして、検索の結果取得した（指示）命令語を、（図２で示した）コード解析バッファ５９に保存されるコ−ド情報６７に含まれるインストラクション７３を構成する命令語７５ａとして登録する（ステップＳ１６４）。
【００６３】
次に、入力情報に対応する対象情報（内容情報）が、実際に無線通信装置１に入力されているか否かをチェックする（ステップＳ１６５）。このチェックの結果がＹｅｓであれば、（無線通信装置１の）記憶部３５に予め保存されている変換情報を参照して、対象情報（内容情報）に対応する（対象）命令語を検索する（ステップＳ１６６）。そして、検索の結果取得した（対象）命令語を、コード解析バッファ５９に保存されるコード情報６７に含まれるインストラクション７３を構成する対象語７７ａとして登録する（ステップＳ１６７）。次に、入力情報が未だ残っているか否かをチェックして（ステップＳ１６８）、チェックの結果入力情報が未だ残っていれば、再度ステップＳ１６１以下の処理動作を実行し、残っていなければ一連の処理動作を終了する。なお、ステップＳ１６５でＮｏであれば、直ちにステップＳ１６８に移行する。
【００６４】
一方、ステップＳ１６２でのチェック結果がＹｅｓであれば、ステップＳ１６９で示す処理動作に移行する。
【００６５】
即ち、入力情報の内容が指示情報（７７、７９、８１）を生成すべき旨の指示（命令）であるので、その指示（命令）に従って指示情報の生成処理を実施する。そして、（図２で示した）コード情報バッファ５９からコード情報６７を取得し（ステップＳ１６９）、取得したコード情報６７を利用して入力情報の内容に位置情報が含まれているか否かをチェックする（ステップＳ１７０）。このチェックの結果、含まれていると判断すると（ステップＳ１７０でＹｅｓ）、その位置情報を、（図３で示した）指示情報バッファ６１に実行位置情報８５として登録し（ステップＳ１７４）、次にコード情報６７を利用して入力情報の内容に時刻情報が含まれているか否かをチェックする処理動作（ステップＳ１７１）に移行する。一方、入力情報の内容に位置情報が含まれていなければ（ステップＳ１７０でＮｏ）、直ちにステップＳ１７１に移行する。
【００６６】
次に、コード情報６７を利用して入力情報の内容に時刻情報が含まれているか否かをチェクする（ステップＳ１７１）。このチェックの結果、含まれていると判断すると（ステップＳ１７１でＹｅｓ）、その時刻情報を、（図３で示した）指示情報バッファ６１に実行時刻情報８７として登録し（ステップＳ１７５）、続いて、ステップＳ１６１乃至ステップＳ１６８における処理動作で作成したコード情報（６７、６９）を、指示情報バッファ６１にコード情報８９として登録する（ステップＳ１７２）。次に、このコード情報８９に、指示情報（７７、７９、８１）を識別するための識別子としてユニークな値を付加し、そのユニークな値を指示情報バッファ６１に指示情報ＩＤ８３として登録し（ステップＳ１７３）、一連の処理動作を終了する。
【００６７】
図８は、無線通信装置１において、挙動情報（９１、９３）を生成するに際しての処理動作を示すフローチャートである。
【００６８】
図８において、まず、入力情報の内容が挙動情報（９１、９３）を作成すべき旨の指示（命令）であるのか否かをチェックする（ステップＳ１８１）（図６ではステップＳ１４６）。このチェックの結果がＮｏであれば、挙動情報を作成すべき旨の指示（命令）を含む入力情報が入力されるまで待機する。一方、上記チェックの結果がＹｅｓであれば、図７で示した指示情報生成処理に際しての処理動作において作成した指示情報（７７、７９、８１）を取得すると共に（ステップＳ１８２）、無線通信装置１が上記入力情報をどの入力デバイスから入力したかを把握すべく（ステップＳ１８３）、入力デバイスの種類（例えば図１で示した撮像デバイス１５か、或いは同図で示した録音デバイス１７か）をチェックする（ステップＳ１８４）。
【００６９】
このチェックの結果、入力デバイスが撮像デバイス１５であると判断したときには、撮像デバイス１５から画像情報を取得し（ステップＳ１８８）、取得したその画像情報を、挙動情報バッファ６３に画像データ９５として登録する。そして、その画像データ９５に対し、記憶部３５に予め保存しているデータ合成を行うためのプログラムによって、指示情報７７を画像データ９５に挿入或いは追加する処理動作を実行する（ステップＳ１８９）。
【００７０】
一方、ステップＳ１８４でのチェックの結果、入力デバイスが録音デバイス１７であると判断したときには、録音デバイス１７から音声情報を取得し（ステップＳ１８５）、取得したその音声情報を、挙動情報バッファ６３に音声データ９９として登録する。そして、その音声データ９９に対し、画像データ９５におけると同様に、記憶部３５に予め保存しているデータ合成を行うためのプログラムによって、指示情報７９を音声データ９９に挿入或いは追加する（ステップＳ１８６）。
【００７１】
次に、ステップＳ１８９で指示情報７７を挿入或いは追加された画像データ９５に対しては、図４で説明した（記憶部３５に予め保存しているデータ分離を行うための）分離用プログラム９７を、また、ステップＳ１８６で指示情報７９を挿入或いは追加された音声データ９９に対しては、同じく図４で説明した（記憶部３５に予め保存しているデータ分離を行うための）分離用プログラム１０１を、夫々追加した後（ステップＳ１８７）、挙動情報を生成するに際しての一連の処理動作を終了する。
【００７２】
以上説明したような処理動作を実行することにより、無線通信装置１は、ユーザＡが入力した指示情報、画像情報、音声情報を挙動情報として他の無線通信装置３に対して送信することが可能になる。
【００７３】
図９は、無線通信装置１において、他の無線通信装置３から受信した挙動情報（９１、９３）を、指示情報（７７、７９、８１）に基づいて再生するに際しての処理動作を示すフローチャートである。
【００７４】
図９において、まず、他の無線通信装置３から送信されてきた（図４で示した）挙動情報（９１、９３）を受信すると共に（ステップＳ１９１）、受信したその挙動情報（９１、９３）の解析を実施して、その解析結果として得られた指示情報（７７、７９）を、（図３で示した）指示情報バッファ６１に保存する（ステップＳ１９２）。次に、指示情報バッファ６１から指示情報（７７、７９）を順次読み出すと共に（ステップＳ１９３）、（図１で示した）現在時刻取得部３７から現在時刻（情報）を、また、（図１で示した）現在位置取得部４１から無線通信装置１の（ユーザＡの）現在位置（情報）を、夫々取得する（ステップＳ１９４）。そして、ステップＳ１９３で取得した指示情報（７７）の実行時刻情報（８７）と現在時刻（情報）を、指示情報（７７）の実行位置情報（８５）と現在位置（情報）を、夫々比較対照して両者が一致するか否かをチェックする（ステップＳ１９５）。
【００７５】
このチェックの結果、実行時刻情報（８７）と現在時刻（情報）、及び実行位置情報（８５）と現在位置（情報）の少なくとも一方が不一致であれば（ステップＳ１９５でＮｏ）、ステップＳ１９３に復帰し、新たに、指示情報（７９）の実行時刻情報と現在時刻（情報）を、指示情報（７９）の実行位置情報と現在位置（情報）を、夫々比較対照して両者が一致するか否かをチェックすることになる（ステップＳ１９５）。
【００７６】
上記チェックの結果、実行時刻情報と現在時刻（情報）、及び実行位置情報と現在位置（情報）の双方が共に一致していれば（ステップＳ１９５でＹｅｓ）、次に、挙動解析バッファ６５上に展開されている起動情報（１０３、１０５）を構成する契機情報（１１７、１２５）に対応する再生ＩＤ（１１９、１２７）を読み出して、該再生ＩＤに基づいて再生データの種類を判別する（ステップＳ１９６）。
【００７７】
ステップＳ１９６において、仮に再生データが画像（情報）であれば、挙動解析バッファ６５上に展開されている保存情報１１１の保存ＩＤ１２９を検索することによって画像情報１３１を取得する。そして、（図１で示した無線通信装置１の）表示デバイス４７を駆動することによって画像情報１３１を表示出力することで、ユーザＡに画像情報１３１を伝える（ステップＳ１９９）。
【００７８】
ステップＳ１９６において、仮に再生データが音声（情報）であれば、挙動解析バッファ６５上に展開されている保存情報１１３の保存ＩＤ１３３を検索することによって音声情報１３５を取得する。そして、（図１で示した無線通信装置１の）振動デバイス４９を駆動することによって音声或いは振動を生じさせ、音声或いは振動によってユーザＡに音声情報１３５を伝える（ステップＳ１９８）。
【００７９】
ステップＳ１９６において、仮に再生データがコード情報であれば、挙動解析バッファ６５上に展開されている保存情報１０９の保存ＩＤ１２１を検索することによってインストラクション１２３を取得する。そして、（図１で示した）無線通信装置１のＣＰＵを起動して、インストラクション１２３に対応するプログラムを実行する（ステップＳ１９７）。
【００８０】
ステップＳ１９７、Ｓ１９８、Ｓ１９９で夫々示した処理動作が終了すると、ステップＳ１９３に復帰し、一連の再生動作を実施することになる。
【００８１】
図１０は、無線通信装置１において、他の無線通信装置３から受信した挙動情報（９１、９３）を解析するに際しての処理動作を示すフローチャートである。
【００８２】
図１０において、まず、他の無線通信装置３から送信されてきた（図４で示した）挙動情報（９１、９３）を受信すると、その挙動情報（９１、９３）を、（図４で示した）挙動情報バッファ６３上に展開する。次に、挙動情報バッファ６３上に展開されている挙動情報９１から分離用プログラム９７を、同じく挙動情報バッファ６３上に展開されている挙動情報９３から分離用プログラム１０１を、夫々取得し、それら分離用プログラム９７、１０１を、無線通信装置１のＣＰＵにおいて実行する（ステップＳ２０１）。分離用プログラム９７の実行によって、画像データ９５に混入されている指示情報７７が、分離用プログラム１０１の実行によって、音声データ９９に混入されている指示情報９９が、夫々分離される。分離された指示情報９７、９９は、いずれも（図３で示した）指示情報バッファ６１上に展開される（ステップＳ２０２）。
【００８３】
次に、（図３で示した）指示情報バッファ６１上に展開されている指示情報７７を読み出して指示情報ＩＤ８３を参照し、（図４で示した）挙動情報９１が画像データを含んでいるのか、或いは音声データを含んでいるのかをチェックする（ステップＳ２０３）。この例では、挙動情報９１は画像データ９５を含んでいるので、その画像データ９５を、（図５で示した）挙動解析バッファ６５に保存情報１１１を構成する再生データ（画像情報）１３１として保存すると共に、再生データである画像情報１３１の識別子を、保存ＩＤ（画像ＩＤ）１２９として登録する（ステップＳ２０４）。
【００８４】
上記と同様に、（図３で示した）指示情報バッファ６１上に展開されている指示情報７９を読み出して指示情報ＩＤ８４を参照し、（図４で示した）挙動情報９３が画像データを含んでいるのか、或いは音声データを含んでいるのかをチェックする（ステップＳ２０３）。この例では、挙動情報９３は音声データ９９を含んでいるので、その音声データ９９を、（図５で示した）挙動解析バッファ６５に保存情報１１３を構成する再生データ（音声情報）１３５として保存すると共に、再生データである音声情報１３５の識別子を、保存ＩＤ（音声ＩＤ）１３３として登録する（ステップＳ２０５）。
【００８５】
次に、（図３で示した）指示情報バッファ６１上に展開されている指示情報７７に含まれるコード情報８９を、（図５で示した）挙動解析バッファ６５に保存情報１０９を構成する再生データ（インストラクション）１２３として、同じく指示情報７９に含まれるコード情報９０を、挙動解析バッファ６５に保存情報１１５を構成する再生データ（インストラクション）１３９として、夫々保存する。これと共に、再生データであるインストラクション１２３の識別子を、保存ＩＤ（コードＩＤ）１２１として、同じく再生データであるインストラクション１３９の識別子を、保存ＩＤ（コードＩＤ）１３７として、夫々保存する（ステップＳ２０６）。
【００８６】
次に、（図３で示した）指示情報バッファ６１上に展開されている指示情報７７中に、実行位置情報８５が、同じく指示情報７９中に、実行位置情報８６が、夫々書込まれているか否かをチェックする（ステップＳ２０７）。このチェックの結果、実行位置情報８５、８６が夫々書込まれていると判断すると（ステップＳ２０７でＹｅｓ）、（図５で示した）挙動解析バッファ６５の記憶領域を確保して（ステップＳ２１１）、ステップＳ２０４で挙動解析バッファ６５に保存した保存ＩＤ（画像ＩＤ）１２９と、ステップＳ２０５で挙動解析バッファ６５に保存した保存ＩＤ（音声ＩＤ）１３３とを、例えば（図５で示した）起動情報１０５の再生ＩＤ１２７として、或いは図示しない起動情報の図示しない再生ＩＤとして、夫々登録する（ステップＳ２１２）。
【００８７】
次に、ステップＳ２０６で挙動解析バッファ６５に保存した保存ＩＤ（コードＩＤ）１２１を、例えば（図５で示した）起動情報１０５の再生ＩＤ１２７として、保存ＩＤ（コードＩＤ）１３７を、図示しない起動情報の図示しない再生ＩＤとして、夫々登録する（ステップＳ２１３）。これと共に、（図３で示した）指示情報バッファ６１上に展開されている指示情報７７に含まれる実行位置情報８５を、（図５で示した）挙動解析バッファ６５に、例えば（起動情報１０５を構成する）契機情報１２５として、同じく指示情報７９に含まれる実行位置情報８６を、挙動解析バッファ６５に、例えば図示しない起動情報の図示しない契機情報として、夫々登録する（ステップＳ２１４）。
【００８８】
次に、（図３で示した）指示情報バッファ６１上に展開されている指示情報７７中に、実行時刻情報８７が、同じく指示情報７９中に、実行時刻情報８８が、夫々書込まれているか否かをチェックする（ステップＳ２０８）。このチェックの結果、実行時刻情報８７、８８が夫々書込まれていると判断すると（ステップＳ２０８でＹｅｓ）、（図５で示した）挙動解析バッファ６５の記憶領域を確保して（ステップＳ２１５）、例えば（図３で示した）指示情報バッファ６１上に展開されている指示情報７７に含まれる実行時刻情報８７を、起動情報１０３の契機情報１１７として、同じく指示情報７９に含まれる実行時刻情報８８を、起動情報１０７の契機情報１２６として、夫々登録する（ステップＳ２１８）。この場合、ステップＳ２１７、及びステップＳ２１８での処理動作と同一の処理動作が、ステップＳ２１２、及びステップＳ２１３において実行されているので、ステップＳ２１７、及びステップＳ２１８での処理動作は省略される。
【００８９】
次に、（図４で示した）分離用プログラム９１、９３を（図４で示した）挙動情報バッファ６３から読み出して、画像データ９５から指示情報７７を、音声データ９９から指示情報７９を、夫々可逆的に分離すべく分離用プログラム９１、９３を起動する（ステップＳ２０９）。分離用プログラム９１の起動によって画像データ９５から分離された指示情報７７、及び分離用プログラム９３の起動によって音声データ９９から分離された指示情報７９は、いずれも（図２で示した）指示情報バッファ６１上に展開される。次に、指示情報７７、７９以外に処理すべき指示情報があるか否かをチェックする（ステップＳ２１０）．
このチェックの結果、処理すべき指示情報がないと判断すれば（ステップＳ２１０でＮｏ）、挙動情報（９１、９３）を解析するに際しての一連の処理動作を終了するが、処理すべき指示情報があると判断すれば（ステップＳ２１０でＹｅｓ）、ステップＳ２０６で示した処理動作に復帰する。
【００９０】
以上説明したような処理動作を実行することにより、無線通信装置１は、他の無線通信装置３から送信された挙動情報（９１、９３）を受信して、挙動情報（９１、９３）に含まれる指示情報（７７、７９）に従って、挙動情報（９１、９３）の内容を再生する処理動作を実現することが可能になる。
【００９１】
上述した態様で図１に示した無線通信装置１の各部が処理動作を実行することによって、無線通信装置１において、文字情報・記号情報・音声情報・キー操作情報等を画像情報（動画情報）や写真情報に付加した情報を、現在時刻や無線通信装置１（ユーザＡ）の現在位置に応じて、ユーザＡに提供する機能を実現することができる。
【００９２】
以上、本発明の好適な一実施形態を説明したが、これは本発明の説明のための例示であって、本発明の範囲をこの実施形態にのみ限定する趣旨ではない。本発明は、他の種々の形態でも実施することが可能である。
【００９３】
例えば、上述した実施形態では、入力デバイス９に、キータイプやマウスなどのマン・マシンインタフェースとして機能する情報入力機器（図示しない）と、複数種類のパターン化されたユーザの意思内容を夫々表す各情報別に設定された標準的な入力情報パターンを記憶する記憶部（図示しない）と、ユーザが上記入力機器（図示しない）を操作して入力した情報パターンが、上記いずれかの標準的な入力情報パターンから逸脱しているか否かをチェックして逸脱していると認識したとき、上記入力情報がユーザの意思内容を表現するのに不足している情報であると判別する判別部（図示しない）とを備える構成のものを採用することとした。
【００９４】
しかし、これに代えて、可搬型記録媒体であるフロッピディスク等に記録されているユーザの意思内容に係わる情報を読み取る読取り部（図示しない）を更に備え、判別部（図示しない）が、上記読取り部（図示しない）を通じて読取った入力情報パターンが、上記いずれかの標準的な入力情報パターンから逸脱しているとき、上記入力情報が上記ユーザの意思内容を表現するのに不足していると判別する構成のものを入力デバイス９として用いることもできる。
【００９５】
また、上記入力デバイス９として、上記情報入力部が、ユーザの上述したような意思内容を表現し得る情報を入力するための複数の操作キーであって、ユーザからの想定し得る複数の要求項目（要求項目の一例としては、上述した『現在地から目的地までどれくらい時間が掛かるかを知りたい』が挙げられる）の各々に割り当てられている操作キー（図示しない）と、上記各要求項目毎に設定されるユーザの意思内容を表した情報を記憶する記憶部（図示しない）と、上記いずれかの操作キー（図示しない）が操作されたとき、その操作された操作キー（図示しない）の要求項目に対応する上記記憶部（図示しない）に記憶されているユーザの意思内容を表した情報を、ユーザの意思内容であると認識する認識部（図示しない）とを有する構成のものを用いることとしても差支えない。
【００９６】
なお、図１に記載した入力デバイス９の判別部（図示しない）が、情報入力機器（図示しない）からの入力情報パターンと、記憶部（図示しない）に記憶されている複数の標準的な入力情報パターンとを比較して、上記入力情報パターンが、いずれか１つの標準的な入力情報パターンと一致していれば、勿論通常の無線通信による情報伝送処理が行われる。
【００９７】
【発明の効果】
以上説明したように、本発明によれば、通常のキー操作よりもユーザにとって簡易な（負荷の小さい）情報入力の手法を利用して相手方ユーザとの間で互いに意思疎通がスムーズに図ることが可能な通信装置を提供することができる。
【図面の簡単な説明】
【図１】本発明の一実施形態に係る通信システムの一例としての無線通信システムの全体構成を示すブロック図。
【図２】図１に記載した記憶部が備えるコード解析バッファの構成を示す説明図。
【図３】図１に記載した記憶部が備える指示情報バッファの構成を示す説明図。
【図４】図１に記載した記憶部が備える挙動情報バッファの構成を示す説明図。
【図５】図１に記載した記憶部が備える挙動解析バッファの構成を示す説明図。
【図６】無線通信装置が入力した情報を挙動情報として他の無線通信装置に送信するに際しての処理動作を示すフローチャート。
【図７】無線通信装置において、指示内容に係る情報をコード情報に変換するに際しての処理動作と、指示情報を生成するに際しての処理動作とを示すフローチャート。
【図８】無線通信装置において、挙動情報を生成するに際しての処理動作を示すフローチャート。
【図９】無線通信装置において、他の無線通信装置から受信した挙動情報を、指示情報に基づいて再生するに際しての処理動作を示すフローチャート。
【図１０】無線通信装置において、他の無線通信装置から受信した挙動情報を、解析するに際しての処理動作を示すフローチャート。
【符号の説明】
１、３  無線通信装置
５、５１  送信系統
７、５３  受信系統
９  入力デバイス
１１  位置情報生成部
１３  時刻情報生成部
１５  撮像デバイス
１７  録音デバイス
１９  コード情報生成部
２１  指示情報生成部
２３  画像情報生成部
２５  音声情報生成部
２７  挙動情報生成部
２９、５５  挙動情報送信部
３１、５７  挙動情報受信部
３３  挙動情報解析部
３５  記憶部
３７  現在時刻取得部
３９  機会判断部
４１  現在位置取得部
４３  存在判断部
４５  挙動情報再生部
４７  振動デバイス
４９  表示デバイス
５９  コード情報バッファ
６１  指示情報バッファ
６３  挙動情報バッファ
６５  挙動解析バッファ
Ａ  ユーザ
【図１】
2004221891.tif 000003
【図２】
2004221891.tif 000004
【図３】
2004221891.tif 000005
【図４】
2004221891.tif 000006
【図５】
2004221891.tif 000007
【図６】
2004221891.tif 000008
【図７】
2004221891.tif 000009
【図８】
2004221891.tif 000010
【図９】
2004221891.tif 000011
【図１０】
2004221891.tif 000012